(57)【特許請求の範囲】
【請求項１】
壁面に設けられた収納空間に収納されるものであって、前面が開放された箱形に形成されて収納空間に嵌込まれるケーシングと、下端部がケーシングに回動可能に支持されて収納空間の全面を覆う前板と、前板の上部に開口され汚物が投入される投入口と、前板の背部側の下部に固定され内部に汚物を集積させる集積室と、ケーシングに支持され集積室の上方側を開閉する開閉蓋とを備え、開閉蓋は、平板状に形成された開閉板と、開閉板をケーシングの奥側で回動可能に支持するヒンジと、開閉板のヒンジよりもケーシングの奥側に延長された部分に固定された重りと、開閉板をケーシングの前側で水平の角度以上の回動を規制するストッパとからなることを特徴とするサニタリーボックス。
【請求項２】
請求項１のサニタリーボックスにおいて、ケーシングの上部に固定され投入口に連通して開閉蓋に至る汚物の投入経路を区画するインナケーシングを備えていることを特徴とするサニタリーボックス。
【発明の詳細な説明】
【技術分野】
【０００１】
本発明は、壁面収納タイプのサニタリーボックスに係る技術分野に属する。
【背景技術】
【０００２】
最近、女性用トイレ等に設置されて生理用布，化粧用布等の汚物の投棄に使用されるサニタリーボックスについては、美観上等の観点から床設置タイプから壁面収納タイプに移行される傾向がある。
【０００３】
従来、壁面収納タイプのサニタリーボックスとしては、例えば、特許文献１に記載のものが知られている。
【０００４】
特許文献１には、図８に示すように、屋根形に形成された上部１０に汚物が投入される投入口２０が開口され、箱形に形成された下部３０の内部に汚物を集積させる集積室４０が設けられ、上部１０と下部３０との一部が回動可能に構成されたサニタリーボックスが記載されている。
【０００５】
特許文献１に係るサニタリーボックスは、壁面に設けられた収納空間Ｓに出入れ自在に収納されるもので、汚物が集積された際に収納空間Ｓから取出して上部１０と下部３０との一部を回動させることで簡単に汚物を回収することができるようにするものである。
【先行技術文献】
【特許文献】
【０００６】
【特許文献１】特開２００２−２４８０６６号公報
【発明の概要】
【発明が解決しようとする課題】
【０００７】
特許文献１に係るサニタリーボックスでは、汚物が投入される投入口２０が常時開口されているため、集積室４０に集積されている汚物の臭気が漏出してしまうという問題点がある。また、上部１０と下部３０とからなる全体が露出されてしまうため、外観体裁が不良であるという問題点がある。
【０００８】
本発明は、このような問題点を考慮してなされたもので、集積された汚物の臭気の漏出が確実に阻止されるとともに外観体裁が良好なサニタリーボックスを提供することを課題とする。
【課題を解決するための手段】
【０００９】
前述の課題を解決するため、本発明に係るサニタリーボックスは、特許請求の範囲の各請求項に記載の手段を採用する。
【００１０】
即ち、請求項１では、例えば以下に示す図示実施の形態のとおり、壁面に設けられた収納空間Ｓに収納されるものであって、前面が開放された箱形に形成されて収納空間Ｓに嵌込まれるケーシング１と、下端部がケーシング１に回動可能に支持されて収納空間Ｓの全面を覆う前板２と、前板２の上部に開口され汚物が投入される投入口４と、前板２の背部側の下部に固定され内部に汚物を集積させる集積室５と、ケーシング１に支持され集積室５の上方側を開閉する開閉蓋７とを備え、開閉蓋７は、平板状に形成された開閉板７１と、開閉板７１をケーシング１の奥側で回動可能に支持するヒンジ７２と、開閉板７１のヒンジ７２よりもケーシング１の奥側に延長された部分に固定された重り７３と、開閉板７１をケーシング１の前側で水平の角度以上の回動を規制するストッパ７４とからなることを特徴とする。
【００１１】
この手段では、汚物を集積させる集積室の上方側を開閉する開閉蓋を備えることで、集積室と投入口との連通を遮断することができる。また、収納空間の全面を覆う前板を備え
ることで、全体の露出が避けられる。しかも、この手段では、開閉蓋が開閉板，ヒンジ，おもり，ストッパからなることで、てこ構造による開閉蓋の自動閉鎖機構が構成される。
【００１２】
また、請求項２では、請求項１のサニタリーボックスにおいて、ケーシング１の上部に固定され投入口４に連通して開閉蓋７に至る汚物の投入経路を区画するインナケーシング６を備えていることを特徴とする。
【００１３】
この手段では、インナケーシングが設けられることで、投入口から開閉蓋に至る汚物の投入経路における汚物の散乱が防止される。
【発明の効果】
【００１４】
本発明に係るサニタリーボックスは、汚物を集積させる集積室の上方側を開閉する開閉蓋を備えることで、集積室と投入口との連通を遮断することができるため、集積された汚物の臭気の漏出が確実に阻止される効果がある。また、収納空間の前面を覆う前板を備えることで、全体の露出が避けられるため、美的外観が良好になる効果がある。しかも、開閉蓋が開閉板，ヒンジ，おもり，ストッパからなることで、てこの構造による開閉蓋の自動閉鎖機構が構成されるため、集積された汚物の臭気の漏出の阻止のための開閉蓋の閉鎖が確実に行われる効果がある。
【００１５】
加え、請求項２として、インナケーシングが設けられることで、投入口から開閉蓋に至る汚物の投入経路における汚物の散乱が防止されるため、投入された汚物による内部の無用の汚損が防止される効果がある。
【図面の簡単な説明】
【００１６】
【図１】本発明に係るサニタリーボックスを実施するための形態の側面断面図である。
【図２】図１の斜視図である。
【図３】図１の他の状態の斜視図である。
【図４】図１の正面図である。
【図５】図１の平面断面図である。
【図６】図１の設置状態を示す正面図である。
【図７】図１の設置状態を示す側面断面図である。
【図８】従来例を示す断面図である。
【発明を実施するための形態】
【００１７】
以下、本発明に係るサニタリーボックスを実施するための形態を図面に基づいて説明する。
【００１８】
この形態では、図６，図７に示すように、トイレの便器の背部のライジングからなる壁面に設けられた方形の収納空間Ｓに収納されるものを示してある。
【００１９】
この形態は、図１に示すように、ケーシング１，前板２，前板支持機構３，投入口４，集積室５，インナケーシング６，開閉蓋７，ロック部材８の各部で構成されている。
【００２０】
ケーシング１は、収納空間Ｓに嵌込まれるように前面が開放された方形の箱形に形成されている。このケーシング１は、収納空間Ｓに嵌込まれて収納空間Ｓの周囲にあるライジングのフレームＦにネジ等で固定される。
【００２１】
前板２は、収納空間Ｓの全面を覆う方形の平板状に形成されている。
【００２２】
前板支持機構３は、前板２の下端部をケーシング１に回動可能に支持するもので、前板２の下端側部に固定された円弧板形の支持プレート３１と、支持プレート３１に穿孔された円弧長孔形のピン孔３２と、ケーシング１の下端側部に突出固定されピン孔３２に挿通される支持ピン３３とからなる。
【００２３】
投入口４は、前板２の上部に円形に開口されている。この投入口４は、汚物が投入されるもので汚物を掴んだ手が挿入できる大きさに開口される。
【００２４】
集積室５は、内部に汚物を集積させるもので、上部開放の箱形に形成されて前板２の背部側の下部に固定されている。この集積室５は、ケーシング１の前側から奥側に向けて背高が低くなるように上端縁５１が傾斜され、上端縁５１に内部にセットされて汚物を収納する袋等を掛けるフランジ５２が設けられている。
【００２５】
インナケーシング６は、投入口４に連通して開閉蓋７に至る汚物の投入経路を区画するもので、ケーシング１の上部に固定されている。
【００２６】
開閉蓋７は、インナケーシング６を介してケーシング１に支持され集積室５の上方側を開閉するもので、平板状に形成された開閉板７１と、開閉板７１をインナケーシング６の奥側で回動可能に支持するヒンジ７２と、開閉板７１のヒンジ７２よりもインナケーシング６の奥側に延長された部分に固定された重り７３と、開閉板７１をインナケーシング６の前側で水平の角度以上の回動を規制するストッパ７４とからなる。開閉板７１は、インナケーシング６の下端開口を完全に閉鎖する面積を有している。ストッパ７４は、インナケーシング６の下端縁を屈曲することで形成されている。
【００２７】
ロック部材８は、前板２をケーシング１に吸着保持するもので、前板２に取付けられたマグネット８１と、ケーシング１に取付けられた鉄ブロック８２とからなる。
【００２８】
この形態を使用するには、図３に示すような前板２がケーシング１に吸着保持された状態で、汚物を掴んだ手を投入口４から挿入して開閉蓋７の開閉板７１をおもり７３の抵抗に抗して押下げることになる。この結果、汚物を集積する集積室５の上方側が開放された格好となるので、掴んでいる汚物を離して集積室５の内部に落下させる。
【００２９】
このとき、開閉蓋７の開閉板７１が前側下方に下降傾斜することになって、集積室５の内部に既に集積されている汚物を開閉板７１が圧縮することになる。従って、集積室５の内部に汚物がかなり集積されている状態でも、汚物を集積室５の内部に押し込むことができる。即ち、集積室５の容量が実質的に拡大されている。
【００３０】
また、投入口４から開閉蓋７に至る汚物の投入経路がインナケーシング６によって区画されているため、汚物の散乱が防止されて内部の無用の汚損が防止される。
【００３１】
その後、そのまま手を引上げて投入口４から引抜くことになる。この結果、開閉蓋７がてこの構造によって自動的に閉鎖される。
【００３２】
開閉蓋７が閉鎖された状態では、投入口４から開閉蓋７に至る汚物の投入経路がインナケーシング６によって区画されていることと、前板２がケーシング１に吸着保持されていることとによって、集積室５に集積されている汚物の臭気が外部に漏出することがない。
【００３３】
なお、前板２がケーシング１に吸着保持されている状態では、内部の全体の露出が避けられ美的外観が良好である。
【００３４】
集積室５に集積されている汚物を回収するには、図４に示すように、前板２を前側に回動させ傾倒させる。この結果、集積室５の上方側が外部に開放されることになるため、集積室５に集積されている汚物（または汚物が集積された袋）を簡単に回収することができる。
【００３５】
このとき、前板支持機構３によって前板２の回動域が規制されているため、前板２が必要以上に回動して各部を損傷するようなことは起こらない。また、集積室５の傾斜した上端縁５１は、前板２の回動の際の集積室５と開閉蓋７との衝突を回避する。
【００３６】
以上、図示した形態の外に、ケーシング１を収納空間Ｓに出入れ可能に構成することも可能である。
【符号の説明】
【００３７】
１            ケーシング
２            前板
４            投入口
５            集積室
６            インナケーシング
７            開閉蓋
７１          開閉板
７２          ヒンジ
７３          重り
７４          ストッパ
Ｓ            収納空間
【要約】
【課題】壁面収納タイプのサニタリーボックスについて、集積された汚物の臭気の漏出を確実に阻止し、美的外観を良好にする。
【解決手段】壁面に設けられた収納空間Ｓに収納される。前面が開放された箱形に形成されて収納空間Ｓに嵌込まれるケーシング１と、下端部がケーシング１に回動可能に支持されて収納空間Ｓの全面を覆う前板２と、前板２の上部に開口され汚物が投入される投入口４と、前板２の背部側の下部に固定され内部に汚物を集積させる集積室５と、ケーシング１に支持され集積室５の上方側を開閉する開閉蓋７とを備えた。
【選択図】        図１【図１】
0006013554.tif 000002
【図２】
0006013554.tif 000003
【図３】
0006013554.tif 000004
【図４】
0006013554.tif 000005
【図５】
0006013554.tif 000006
【図６】
0006013554.tif 000007
【図７】
0006013554.tif 000008
【図８】
0006013554.tif 000009